(57)【特許請求の範囲】
【請求項１】
複数のアンテナと、
前記複数のアンテナでの受信指向性を制御するための受信ウェイトを更新し、更新終了後の受信ウェイトを前記複数のアンテナでの受信信号に設定する受信ウェイト処理部と
を備え、
前記受信ウェイト処理部は、受信ウェイトに対して複数回のアレイ処理を行い、
前記複数回のアレイ処理のそれぞれでは、受信ウェイトが、前記複数のアンテナでの受信信号に含まれる、周波数方向あるいは時間方向に並ぶ複数の受信既知信号のうちの複数の既知信号がそれぞれ使用されて複数回更新され、
前記複数回のアレイ処理においては、前記複数の受信既知信号のそれぞれが少なくとも１回使用され、かつ前記複数の受信既知信号のうちの少なくとも一つが複数回使用され、
前記複数回のアレイ処理においては、連続する前後の受信ウェイトの更新で使用される既知信号は互いに異なっており、
前記複数回のアレイ処理のそれぞれにおいては、当該アレイ処理で受信ウェイトの更新に使用される複数の既知信号は周波数方向あるいは時間方向に沿って順番に使用され、
前記複数回のアレイ処理において連続する前後のアレイ処理の間では、受信ウェイトの更新に使用される複数の既知信号が周波数方向あるいは時間方向に沿って使用される方向が逆方向である、無線通信装置。
【請求項２】
請求項１に記載の無線通信装置であって、
前記受信ウェイト処理部は、
前記複数の受信既知信号が周波数方向に並ぶ場合には、前記複数回のアレイ処理が行われた受信ウェイトを、前記複数のアンテナでの受信信号に含まれる、当該複数の受信既知信号とそれぞれ同じ周波数帯域で受信された複数のデータ信号に共通に設定し、
前記複数の受信既知信号が時間方向に並ぶ場合には、前記複数回のアレイ処理が行われた受信ウェイトを、前記複数のアンテナでの受信信号に含まれる、当該複数の受信既知信号とそれぞれ同じ時間帯で受信された複数のデータ信号に共通に設定する、無線通信装置。
【請求項３】
請求項１に記載の無線通信装置であって、
前記受信ウェイト処理部は、
前記複数の受信既知信号が周波数方向に並ぶ場合には、当該複数の受信既知信号のうち、前記複数回のアレイ処理の最後のアレイ処理において使用される複数の既知信号のそれぞれについて、当該既知信号が当該最後のアレイ処理において使用されて更新された受信ウェイトを、前記複数のアンテナでの受信信号に含まれる、当該既知信号と同じ周波数帯域で受信されるデータ信号に設定し、
前記複数の受信既知信号が時間方向に並ぶ場合には、当該複数の受信既知信号うち、前記複数回のアレイ処理の最後のアレイ処理において使用される複数の既知信号のそれぞれについて、当該既知信号が当該最後のアレイ処理において使用されて更新された受信ウェイトを、前記複数のアンテナでの受信信号に含まれる、当該既知信号と同じ時間帯で受信されるデータ信号に設定する、無線通信装置。
【請求項４】
無線通信装置が備える複数のアンテナでの受信指向性を制御するための受信ウェイトの更新方法であって、
受信ウェイトに対して複数回のアレイ処理が行われ、
前記複数回のアレイ処理のそれぞれでは、受信ウェイトが、前記複数のアンテナでの受信信号に含まれる、周波数方向あるいは時間方向に並ぶ複数の受信既知信号のうちの複数の既知信号がそれぞれ使用されて複数回更新され、
前記複数回のアレイ処理においては、前記複数の受信既知信号のそれぞれが少なくとも１回使用され、かつ前記複数の受信既知信号のうちの少なくとも一つが複数回使用され、
前記複数回のアレイ処理においては、連続する前後の受信ウェイトの更新で使用される既知信号は互いに異なっており、
前記複数回のアレイ処理のそれぞれにおいては、当該アレイ処理で受信ウェイトの更新に使用される複数の既知信号は周波数方向あるいは時間方向に沿って順番に使用され、
前記複数回のアレイ処理において連続する前後のアレイ処理の間では、受信ウェイトの更新に使用される複数の既知信号が周波数方向あるいは時間方向に沿って順番に使用される方向が逆方向である、受信ウェイトの更新方法。
【発明の詳細な説明】
【技術分野】
【０００１】
本発明は、複数のアンテナを用いた無線通信技術に関する。
【背景技術】
【０００２】
従来から無線通信に関して様々な技術が提案されている。例えば特許文献１には、無線通信装置が備える複数のアンテナでの受信指向性を制御する技術が開示されている。特許文献１の技術では、複数のアンテナでの受信指向性を制御するための受信ウェイトを、ＬＭＳ（Least Mean Square）アルゴリズムやＲＬＳ（Recursive Least-Squares）アルゴリズムなどの逐次推定アルゴリズムを用いて算出している。逐次推定アルゴリズムを用いて受信ウェイトを算出する際には、複数のアンテナでの受信信号に含まれる既知信号についての参照信号に対する誤差が小さくなるように受信ウェイトが逐次更新される。
【先行技術文献】
【特許文献】
【０００３】
【特許文献１】特開２００８−２１１３０４号公報
【発明の概要】
【発明が解決しようとする課題】
【０００４】
既知信号については、データ信号と異なり、当該既知信号を用いてユーザデータや制御データなどのデータ（トラフィック）を伝送することができない。したがって、伝送スループットを向上するためには、受信ウェイトを更新する際に使用される既知信号の数は少ない方が好ましい。
【０００５】
そこで、本発明は上述の点に鑑みて成されたものであり、少ない数の既知信号を用いて精度の高い受信ウェイトを得ることが可能な技術を提供することを目的とする。
【課題を解決するための手段】
【０００６】
上記課題を解決するため、本発明に係る無線通信装置は、複数のアンテナと、前記複数のアンテナでの受信指向性を制御するための受信ウェイトを更新し、更新終了後の受信ウェイトを前記複数のアンテナでの受信信号に設定する受信ウェイト処理部とを備え、前記受信ウェイト処理部は、受信ウェイトに対して複数回のアレイ処理を行い、前記複数回のアレイ処理のそれぞれでは、受信ウェイトが、前記複数のアンテナでの受信信号に含まれる、周波数方向あるいは時間方向に並ぶ複数の受信既知信号のうちの複数の既知信号がそれぞれ使用されて複数回更新され、前記複数回のアレイ処理においては、前記複数の受信既知信号のそれぞれが少なくとも１回使用され、かつ前記複数の受信既知信号のうちの少なくとも一つが複数回使用され、前記複数回のアレイ処理においては、連続する前後の受信ウェイトの更新で使用される既知信号は互いに異なっており、前記複数回のアレイ処理のそれぞれにおいては、当該アレイ処理で受信ウェイトの更新に使用される複数の既知信号は周波数方向あるいは時間方向に沿って順番に使用され、前記複数回のアレイ処理において連続する前後のアレイ処理の間では、受信ウェイトの更新に使用される複数の既知信号が周波数方向あるいは時間方向に沿って使用される方向が逆方向である。
【０００７】
また、本発明に係る無線通信装置の一態様では、前記受信ウェイト処理部は、前記複数の受信既知信号が周波数方向に並ぶ場合には、前記複数回のアレイ処理が行われた受信ウェイトを、前記複数のアンテナでの受信信号に含まれる、当該複数の受信既知信号とそれぞれ同じ周波数帯域で受信された複数のデータ信号に共通に設定し、前記複数の受信既知信号が時間方向に並ぶ場合には、前記複数回のアレイ処理が行われた受信ウェイトを、前記複数のアンテナでの受信信号に含まれる、当該複数の受信既知信号とそれぞれ同じ時間帯で受信された複数のデータ信号に共通に設定する。
【０００８】
また、本発明に係る無線通信装置の一態様では、前記受信ウェイト処理部は、前記複数の受信既知信号が周波数方向に並ぶ場合には、当該複数の受信既知信号のうち、前記複数回のアレイ処理の最後のアレイ処理において使用される複数の既知信号のそれぞれについて、当該既知信号が当該最後のアレイ処理において使用されて更新された受信ウェイトを、前記複数のアンテナでの受信信号に含まれる、当該既知信号と同じ周波数帯域で受信されるデータ信号に設定し、前記複数の受信既知信号が時間方向に並ぶ場合には、当該複数の受信既知信号うち、前記複数回のアレイ処理の最後のアレイ処理において使用される複数の既知信号のそれぞれについて、当該既知信号が当該最後のアレイ処理において使用されて更新された受信ウェイトを、前記複数のアンテナでの受信信号に含まれる、当該既知信号と同じ時間帯で受信されるデータ信号に設定する。
【０００９】
また、本発明に係る受信ウェイトの更新方法は、無線通信装置が備える複数のアンテナでの受信指向性を制御するための受信ウェイトの更新方法であって、受信ウェイトに対して複数回のアレイ処理が行われ、前記複数回のアレイ処理のそれぞれでは、受信ウェイトが、前記複数のアンテナでの受信信号に含まれる、周波数方向あるいは時間方向に並ぶ複数の受信既知信号のうちの複数の既知信号がそれぞれ使用されて複数回更新され、前記複数回のアレイ処理においては、前記複数の受信既知信号のそれぞれが少なくとも１回使用され、かつ前記複数の受信既知信号のうちの少なくとも一つが複数回使用され、前記複数回のアレイ処理においては、連続する前後の受信ウェイトの更新で使用される既知信号は互いに異なっており、前記複数回のアレイ処理のそれぞれにおいては、当該アレイ処理で受信ウェイトの更新に使用される複数の既知信号は周波数方向あるいは時間方向に沿って順番に使用され、前記複数回のアレイ処理において連続する前後のアレイ処理の間では、受信ウェイトの更新に使用される複数の既知信号が周波数方向あるいは時間方向に沿って順番に使用される方向が逆方向である。
【発明の効果】
【００１０】
本発明によれば、少ない数の既知信号を用いて精度の高い受信ウェイトを得ることができる。
【図面の簡単な説明】
【００１１】
【図１】実施の形態に係る無線通信装置の構成を示す図である。
【図２】実施の形態に係る制御部の構成を示す図である。
【図３】実施の形態に係る受信ウェイト処理部の構成を示す図である。
【図４】実施の形態に係る受信ウェイト更新処理の一例を示す図である。
【図５】実施の形態に係る受信ウェイト更新処理と比較される受信ウェイト更新処理を示す図ある。
【図６】実施の形態に係る受信ウェイト更新処理の一例を示す図である。
【図７】実施の形態に係る受信ウェイト更新処理の一例を示す図である。
【図８】実施の形態に係る受信ウェイト更新処理の一例を示す図である。
【図９】実施の形態に係る受信ウェイト更新処理の一例を示す図である。
【図１０】実施の形態に係る受信ウェイト更新処理の変形例の一例を示す図である。
【図１１】実施の形態に係る受信ウェイト更新処理の変形例と比較される受信ウェイト更新処理を示す図である。
【発明を実施するための形態】
【００１２】
図１は本実施の形態に係る無線通信装置１００の構成を示す図である。本実施の形態に係る無線通信装置１００は、例えば、互いに直交する複数のサブキャリアが重畳されたＯＦＤＭ（Orthogonal Frequency Division Multiplexing）信号を使用して通信相手装置と通信を行う。また、無線通信装置１００は、送受信アンテナとしてアレイアンテナを有し、アダプティブアレイアンテナ方式を用いてアレイアンテナの指向性を制御する。
【００１３】
図１に示されるように、無線通信装置１００は、無線通信部１と、複数のＤ／Ａ変換部２と、複数のＡ／Ｄ変換部３と、制御部４とを備えている。
【００１４】
制御部４は、ＣＰＵ、ＤＳＰ及びメモリなどで構成されている。制御部４での各種機能は、ＣＰＵ及びＤＳＰがメモリ内のプログラムを実行することによって実現される。制御部４は、送信用のベースバンドのＯＦＤＭ信号を生成して複数のＤ／Ａ変換部２に出力する。また制御部４は、複数のＡ／Ｄ変換部３から出力されるＯＦＤＭ信号に含まれる、ユーザデータや制御データなどを取得する。
【００１５】
無線通信部１は、複数のアンテナ１０ａから成るアレイアンテナ１０と、複数の送信部１１と、複数の受信部１２とを備えている。各アンテナ１０ａは、通信相手装置から送信されるＯＦＤＭ信号を受信する。複数のアンテナ１０ａで受信されたＯＦＤＭ信号は、複数の受信部１２にそれぞれ入力される。また、複数の送信部１１が出力するＯＦＤＭ信号は複数のアンテナ１０ａにそれぞれ入力される。これにより、各アンテナ１０ａからＯＦＤＭ信号が無線送信される。
【００１６】
各Ｄ／Ａ変換部２は、制御部４から入力される、デジタル形式のＯＦＤＭ信号をアナログ形式のＯＦＤＭ信号に変換して出力する。複数の送信部１１には、複数のＤ／Ａ変換部２から出力されるＯＦＤＭ信号がそれぞれ入力される。各送信部１１は、入力されたベースバンドのＯＦＤＭ信号に対してアップコンバート及び増幅処理等を行って、搬送帯域のＯＦＤＭ信号を生成して出力する。
【００１７】
各受信部１２は、入力される搬送帯域のＯＦＤＭ信号に対して増幅処理及びダウンコンバート等を行って、ベースバンドのＯＦＤＭ信号を生成して出力する。複数のＡ／Ｄ変換部３には、複数の受信部１２から出力されるアナログ形式のＯＦＤＭ信号がそれぞれ入力される。各Ａ／Ｄ変換部３は、入力されるアナログ形式のＯＦＤＭ信号をデジタル形式のＯＦＤＭ信号に変換して出力する。
【００１８】
図２は制御部４の構成を示すブロック図である。図２に示されるように、制御部４は、複数のＩＤＦＴ部４０と、送信ウェイト処理部４１と、送信信号生成部４２とを備えている。さらに制御部４は、複数のＤＦＴ部５０と、受信ウェイト処理部５１と、受信データ取得部５２とを備えている。
【００１９】
複数のＤＦＴ部５０には、複数のＡ／Ｄ変換部３から出力されるＯＦＤＭ信号がそれぞれ入力される。各ＤＦＴ部５０は、入力されるＯＦＤＭ信号に対して離散フーリエ変換（DFT：Discrete Fourier Transform）を行う。これにより、各ＤＦＴ部５０では、入力されたＯＦＤＭ信号を構成する複数のサブキャリアをそれぞれ変調する複数の複素シンボルが得られる。以後、ＤＦＴ部５０で得られる複素シンボルを「受信シンボル」と呼ぶ。また、ＤＦＴ部５０で得られる複数の複素シンボルを「受信シンボル列」と呼ぶ。各ＤＦＴ部５０では、受信シンボルとして、既知信号である既知の複素シンボル（以後、「既知シンボル」と呼ぶ）と、データ信号である、データを示す複素シンボル（以後、「データシンボル」と呼ぶ）とが取得される。各ＤＦＴ部５０で得られた受信シンボル列は、受信ウェイト処理部５１に入力される。
【００２０】
受信ウェイト処理部５１は、各ＤＦＴ部５０から出力される受信シンボル列に含まれる複数のデータシンボルに設定する受信ウェイトを、例えばＭＭＳＥ（最小二乗誤差法）を用いて算出する。受信ウェイトは、各ＤＦＴ部５０から出力される受信シンボル列に含まれる既知シンボルに基づいて算出される。
【００２１】
受信ウェイト処理部５１は、複数のＤＦＴ部５０からそれぞれ入力された複数の受信シンボル列のそれぞれについて、当該受信シンボル列に含まれる複数のデータシンボルのそれぞれに対して、対応する受信ウェイトを乗算（複素乗算）する。そして、受信ウェイト処理部５１は、複数の受信シンボル列に含まれる、同一のサブキャリアについての受信ウェイト乗算後の複数のデータシンボルを加算する。これにより、アレイアンテナ１０の受信指向性に関するビームが、通信相手装置からの一つのサブキャリア（希望波）に向けられるようになるとともに、アレイアンテナ１０の受信指向性に関するヌルが干渉波に向けられるようになる。これにより、当該一つのサブキャリアについての希望データシンボルが取得される。つまり、複数の受信シンボル列に含まれる、同一のサブキャリアについての受信ウェイト乗算後の複数のデータシンボルを足し合わせて得られる新たなデータシンボルでは、干渉成分が除去されており、当該新たなデータシンボルが希望データシンボルとして取得される。受信ウェイト処理部５１は、ＯＦＤＭ信号に含まれる、データシンボルで変調された複数のサブキャリアのそれぞれについて希望データシンボルを取得して出力する。
【００２２】
受信データ取得部５２は、受信ウェイト処理部５１から出力される希望データシンボルをビットデータに変換する。これにより、受信データ取得部５２では、通信相手装置から送信されるＯＦＤＭ信号に含まれるユーザデータや制御データが取得される。
【００２３】
送信信号生成部４２は、通信相手装置に送信する送信データを生成する。そして、送信信号生成部４２は、生成した送信データを、ＯＦＤＭ信号を構成する複数のサブキャリアにそれぞれ対応する複数の複素シンボルに変換し、当該複数の送信シンボルを送信ウェイト処理部４１に入力する。以後、送信信号生成部４２で生成される複素シンボルを「送信シンボル」と呼ぶ。また、送信信号生成部４２で生成される複数の複素シンボルを「送信シンボル列」と呼ぶ。
【００２４】
送信ウェイト処理部４１は、入力された送信シンボル列を、アンテナ１０ａの数だけ準備する。この複数の送信シンボル列は、複数のアンテナ１０ａからそれぞれ送信される。そして、送信ウェイト処理部４１は、各送信シンボル列に設定する送信ウェイト、言い換えれば、各アンテナ１０ａからの送信信号に設定する送信ウェイトを算出する。送信ウェイトは、受信ウェイト処理部５１で算出された受信ウェイトに基づいて算出することができる。
【００２５】
送信ウェイト処理部４１は、生成した複数の送信シンボル列のそれぞれについて、当該送信シンボル列を構成する複数の送信シンボルのそれぞれに対して、対応する送信ウェイトを乗算する。その後、送信ウェイト処理部４１は、送信ウェイト乗算後の複数の送信シンボル列を、複数のＩＤＦＴ部４０にそれぞれ入力する。
【００２６】
各ＩＤＦＴ部４０は、入力される送信シンボル列に対して逆離散フーリエ変換（IDFT：Inverse DFT）を行う。これにより、ＩＤＦＴ部４０では、送信シンボル列を構成する複数の送信シンボルで変調された複数のサブキャリアが重畳されたベースバンドのＯＦＤＭ信号が得られる。
【００２７】
図３は受信ウェイト処理部５１の構成を示すブロック図である。図３に示されるように、受信ウェイト処理部５１は、複数の複素乗算部５１０と、加算部５１１と、ウェイト算出部５１２とを備えている。ウェイト算出部５１２は、複数の受信ウェイトＲＷを更新するウェイト更新部５１２ａと、誤差信号生成部５１２ｂとを備えている。
【００２８】
複数の複素乗算部５１０には、複数のＤＦＴ部５０で取得された、同一のサブキャリアについての受信シンボルＲＳがそれぞれ入力される。また、複数の複素乗算部５１０には、ウェイト算出部５１２から出力される複数の受信ウェイトＲＷがそれぞれ入力される。各複素乗算部５１０は、入力された受信シンボルＲＳに対して、入力された受信ウェイトＲＷを複素乗算し、受信ウェイトＲＷが乗算された受信シンボルＲＳを出力する。加算部５１１は、複数の複素乗算部５１０から出力される、受信ウェイトＲＷが乗算された受信シンボルＲＳを足し合わせて、それによって得られた新たな受信シンボルを復調シンボルＤＳとして出力する。
【００２９】
誤差信号生成部５１２ｂは、加算部５１１で得られた既知の復調シンボルＤＳについての参照信号ＲＥＦに対する誤差を示す誤差信号ＥＳを生成して出力する。既知の復調シンボルＤＳとは、複数の複素乗算部５１０から出力される、受信ウェイトＲＷが乗算された既知シンボルを足し合わせて得られる新たな既知シンボルである。また参照信号ＲＥＦは、既知の復調シンボルＤＳについての理想的な信号である。
【００３０】
ウェイト更新部５１２ａは、逐次推定アルゴリズムを用いて、誤差信号ＥＳが小さくなるように複数の受信ウェイトＲＷを更新する。本実施の形態に係るウェイト更新部５１２ａは、例えばＲＬＳアルゴリズムを使用して、誤差信号ＥＳ等に基づいて複数の受信ウェイトＲＷを更新する。
【００３１】
ウェイト更新部５１２ａが誤差信号ＥＳ等に基づいて複数の受信ウェイトＲＷを一度更新すると、複数の複素乗算部５１０には、更新された複数の受信ウェイトＲＷがそれぞれ入力されるとともに、新たな複数の既知シンボルがそれぞれ入力される。そうすると、加算部５１１からは新たな既知の復調シンボルＤＳが出力され、その結果、誤差信号生成部５１２ｂからは新たな誤差信号が出力される。ウェイト更新部５１２ａが、この新たな誤差信号ＥＳ等に基づいて複数の受信ウェイトＲＷを一度更新すると、複数の複素乗算部５１０には、更新後の複数の受信ウェイトＲＷがそれぞれ入力されるとともに、新たな複数の既知シンボルがそれぞれ入力される。以後、受信ウェイト処理部５１は同様に動作する。
【００３２】
このように、受信ウェイト処理部５１では、一つの既知の復調シンボルＤＳに基づいて、複数の受信ウェイトＲＷが１回更新される。一つの既知の復調シンボルＤＳは、複数のアンテナ１０ａで受信される、通信相手装置がある一つのサブキャリアを用いて送信する既知シンボルが足し合わされたものであることから、受信ウェイト処理部５１では、ある一つのサブキャリアが用いられて通信相手装置から送信される既知シンボルに基づいて、複数の受信ウェイトＲＷが１回更新されると言える。つまり、受信ウェイト処理部５１では、通信相手装置がある周波数帯域を用いて送信する一つの既知シンボルに基づいて、複数の受信ウェイトＲＷが１回更新される。
【００３３】
ウェイト更新部５１２ａは、複数の受信ウェイトＲＷを所定回数更新すると、複数の受信ウェイトＲＷの更新を終了する。これにより、データシンボルに乗算される受信ウェイトＲＷが得られる。
【００３４】
なお、ＲＬＳアルゴリズムを用いて複数の受信ウェイトＲＷを更新する際には、アレイアンテナ１０を構成する複数のアンテナ１０ａの数をＸとすると、一般的には、複数の受信ウェイトＲＷを（２×Ｘ）回更新すれば、誤差信号ＥＳが十分に小さくなって、複数の受信ウェイトＲＷの精度が十分となる。
【００３５】
更新終了後の複数の受信ウェイトＲＷが複数の複素乗算部５１０にそれぞれ入力される際には、当該複数の複素乗算部５１０には、複数のＤＦＴ部５０で取得された、同一のサブキャリアについてのデータシンボルがそれぞれ入力される。このとき、加算部５１１から出力される復調シンボルＤＳは、干渉成分が除去されたデータシンボルである希望データシンボルとなる。
【００３６】
このようにして、受信ウェイト処理部５１では、アレイアンテナ１０が受信するＯＦＤＭ信号に含まれる、データシンボルで変調された複数のサブキャリアのそれぞれについて希望データシンボルが取得される。
【００３７】
＜受信ウェイト更新処理の詳細＞
次に、本実施の形態に係る受信ウェイト処理部５１での受信ウェイト更新処理についてさらに詳細に説明する。
【００３８】
本実施の形態では、受信ウェイト処理部５１は、受信ウェイト更新処理において、受信ウェイトＲＷを複数回更新するアレイ処理をＮ回（Ｎ≧２）行うようになっている。そして、このＮ回のアレイ処理のそれぞれでは、受信ウェイトＲＷが、アレイアンテナ１０での受信信号に含まれる、周波数方向に並ぶＭ個（Ｍ≧２）の既知シンボルのうちの少なくとも二つの既知シンボルがそれぞれ使用されて少なくとも２回更新される。以後、このＭ個の既知シンボルのそれぞれを「受信既知シンボル」と呼ぶ。したがって、Ｎ回のアレイ処理のそれぞれでは、受信ウェイトＲＷが、Ｍ個の受信既知シンボルのうちの複数の既知シンボルがそれぞれ使用されて複数回更新される。
【００３９】
さらに、Ｎ回のアレイ処理においては、Ｍ個の受信既知シンボルのそれぞれが少なくとも１回使用され、かつＭ個の受信既知シンボルのうちの少なくとも一つが複数回使用される。
【００４０】
さらに、Ｎ回のアレイ処理においては、連続する前後の受信ウェイトＲＷの更新で使用される既知シンボルは互いに異なっている。
【００４１】
さらに、Ｎ回のアレイ処理のそれぞれにおいては、当該アレイ処理で受信ウェイトＲＷの更新に使用される複数の既知シンボルは周波数方向に沿って順番に使用される。
【００４２】
そして、Ｎ回のアレイ処理において連続する前後のアレイ処理の間では、受信ウェイトＲＷの更新に使用される複数の既知シンボルが周波数方向に沿って使用される方向が逆方向となっている。
【００４３】
このように、本実施の形態に係る受信ウェイト更新処理では、Ｎ回のアレイ処理において、受信ウェイトＲＷの更新に使用されるＭ個の受信既知シンボルのうちの少なくとも一つが複数回使用されるため、少ない数の既知シンボルを用いて多くの回数受信ウェイトＲＷを更新することが可能となる。受信ウェイトＲＷの更新回数が増えると、受信ウェイトＲＷの精度が向上することから、少ない数の既知シンボルを用いて精度の高い受信ウェイトＲＷを得ることができる。
【００４４】
さらに、本実施の形態に係る受信ウェイト更新処理では、Ｎ回のアレイ処理において、連続する前後の受信ウェイトＲＷの更新で使用される既知シンボルは互いに異なっており、さらに、Ｎ回のアレイ処理のそれぞれにおいては、当該アレイ処理で受信ウェイトＲＷの更新に使用される複数の既知シンボルは周波数方向に沿って順番に使用され、さらに、Ｎ回のアレイ処理において連続する前後のアレイ処理では、受信ウェイトＲＷの更新に使用される複数の既知シンボルが周波数方向に沿って使用される方向が逆方向となっている。このため、Ｎ回のアレイ処理においては、連続する前後の受信ウェイトＲＷの更新で使用される二つの既知シンボルを常に違うものとすることができるとともに、当該二つの既知シンボルについての伝搬路特性の差を抑えることができる。連続する前後の受信ウェイトＲＷの更新で使用される二つの既知シンボルが同じである場合や、当該二つの既知シンボルについての伝搬路特性の差が大きい場合には、受信ウェイトＲＷを更新したとしても受信ウェイトＲＷの精度が向上しにくいことから、本実施の形態のようにして受信ウェイトＲＷを更新することによって、誤差信号ＥＳを十分に小さくすることができ、受信ウェイトＲＷの精度を向上することができる。
【００４５】
以下に、図を参照しながら、本実施の形態に係る受信ウェイト更新処理の具体例について説明する。以下の説明では、それらの周波数帯域が周波数方向で連続する１２個のサブキャリアを用いて通信相手装置から送信される送信信号、言い換えれば、１２個のサブキャリア分の周波数帯域の送信信号を無線通信装置１００が受信する場合に、その受信信号（サブキャリア１２個分の周波数帯域の受信信号）に含まれるデータシンボルに設定する受信ウェイトＲＷを求める際の受信ウェイト更新処理の具体例について説明する。説明の便宜上、当該１２個のサブキャリアのそれぞれを「対象サブキャリア」と呼ぶ。また、当該１２個のサブキャリアを用いてそれぞれ送信される１２個の既知シンボルに対して、周波数帯域が低いものから順に“１”から“１２”までのシンボル番号をそれぞれ付与する。シンボル番号１〜１２の既知シンボルは同じ時間帯で受信される。
【００４６】
図４は、受信ウェイト処理部５１での受信ウェイト更新処理の一例を示す図である。図４では、シンボル番号１〜１２の既知シンボルのそれぞれが、対応するシンボル番号の横に四角で示されている。そして、当該四角の中に示される回数は、受信ウェイト更新処理での何回目の受信ウェイトＲＷの更新に当該四角で示される既知シンボルが使用されるかを示している。後述の図においても同様である。
【００４７】
図４に示される受信ウェイト更新処理では、Ｎ＝２となっており、２回のアレイ処理が行われる。そして、図４の例では、Ｍ＝１２となっており、周波数方向に並ぶシンボル番号１〜１２の１２個の既知シンボルが２回のアレイ処理で使用される。１回目のアレイ処理では、受信ウェイトＲＷが、シンボル番号１〜１２の１２個の既知シンボルがそれぞれ使用されて１２回更新される。そして、２回目のアレイ処理では、シンボル番号２〜１２の１１個の既知シンボルがそれぞれ使用されて１１回更新される。よって、図４の例では、受信ウェイトＲＷは１２個の受信既知シンボルを用いて合計２３回更新される。
【００４８】
さらに、図４の例では、２回のアレイ処理においては、１２個の受信既知シンボルのそれぞれが少なくとも１回使用され、かつ１２個の受信既知シンボルのうち、シンボル番号２〜１２の既知シンボルが２回使用される。
【００４９】
さらに、図４の例では、２回のアレイ処理においては、連続する前後の受信ウェイトＲＷの更新に使用される既知シンボルは互いに異なっている。例えば、１回目の受信ウェイトＲＷの更新に使用される既知シンボルはシンボル番号１２の既知シンボルであって、２回目の受信ウェイトＲＷの更新に使用される既知シンボルはシンボル番号１１の既知シンボルである。また、１２回目の受信ウェイトＲＷの更新に使用される既知シンボルはシンボル番号１の既知シンボルであって、１３回目の受信ウェイトＲＷの更新に使用される既知シンボルはシンボル番号２の既知シンボルである。
【００５０】
さらに、図４の例では、２回のアレイ処理のそれぞれにおいては、当該アレイ処理で仕様される複数の既知シンボルは周波数方向に沿って順番に使用される。具体的には、１回目のアレイ処理において使用されるシンボル番号１〜１２の既知シンボルは、周波数帯域が大きいものから順番に使用され、２回目のアレイ処理において使用されるシンボル番号２〜１２の既知シンボルは、周波数帯域が小さいものから順番に使用される。
【００５１】
そして、図４の例では、１回目のアレイ処理において使用されるシンボル番号１〜１２の既知シンボルは周波数帯域が大きいものから順番に使用され、２回目のアレイ処理において使用されるシンボル番号２〜１２の既知シンボルは周波数帯域が小さいものから順番に使用されることから、図４に示されるように、１回目のアレイ処理において使用されるシンボル番号１〜１２の既知シンボルが周波数方向に沿って使用される方向ＤＲ１と、２回目のアレイ処理において使用されるシンボル番号２〜１２の既知シンボルが周波数方向に沿って使用される方向ＤＲ２とは逆方向になっている。
【００５２】
以上のように、図４に示される受信ウェイト更新処理では、受信ウェイトＲＷは１２個の受信既知シンボル（シンボル番号１〜１２の既知シンボル）を用いて２３回更新される。よって、図５に示されるように、シンボル番号１〜１２の既知シンボルをそれぞれ１回だけ使用して受信ウェイトＲＷを１２回更新する場合よりも、少ない数の既知シンボルを用いて多くの回数受信ウェイトＲＷを更新することができる。その結果、受信ウェイトＲＷの精度が向上する。
【００５３】
さらに、図４の例では、連続する前後の受信ウェイトＲＷの更新では、周波数帯域が隣接する二つの既知シンボルが使用されるため、連続する前後の受信ウェイトＲＷの更新で使用される二つの既知シンボルについての伝搬路特性の差を抑えることができる。よって、受信ウェイトＲＷの精度を向上することができる。
【００５４】
図４のように受信ウェイトＲＷが更新される場合には、２回のアレイ処理が行われた受信ウェイトＲＷ、つまり、２３回更新された受信ウェイトＲＷを、１２個の対象サブキャリアを用いてそれぞれ送信される１２個のデータシンボルに対して共通に設定する。言い換えれば、２回のアレイ処理が行われた受信ウェイトＲＷを、シンボル番号１〜１２の既知シンボルとそれぞれ同じ周波数帯域で受信される１２個のデータシンボルに対して共通に設定する。ある対象サブキャリアで送信されるデータシンボル（当該対象サブキャリアを変調するデータシンボル）に対して受信ウェイトＲＷが設定される際には、複数のアンテナ１０ａでそれぞれ受信される、当該対象サブキャリアについての複数のデータシンボル（複数のＤＦＴ処理部５０からそれぞれ出力される、当該対象サブキャリアについての複数のデータシンボル）に対して、２回のアレイ処理が行われた複数の受信ウェイトＲＷがそれぞれ設定される。そして、複数の受信ウェイトＲＷがそれぞれ設定された当該複数のデータシンボルを足し合わすことによって得られる新たなデータシンボルが受信データ取得部５２によってビットデータに変換されてデータが取得される。
【００５５】
なお、図４の例において、受信ウェイトＲＷを１２回程度更新することによって、受信ウェイトＲＷの精度がある程度確保される場合には、言い換えれば、受信ウェイトＲＷを１２回程度更新することによって、受信ウェイト処理部５１の誤差信号生成部５１２ｂが出力する誤差信号ＥＳがある程度小さくなる場合には、最後のアレイ処理（２回目のアレイ処理）において使用されるシンボル番号２〜１２の既知シンボルのそれぞれについて、当該既知シンボルが最後のアレイ処理において使用されて更新された受信ウェイトＲＷを、当該既知シンボルと同じ周波数帯域で受信されるデータシンボル（当該既知シンボルと同じサブキャリアで送信されるデータシンボル）に対して設定しても良い。
【００５６】
例えば、最後のアレイ処理において使用されるシンボル番号２の既知シンボルが、当該最後のアレイ処理において使用されて更新された受信ウェイトＲＷ、つまり１３回更新された受信ウェイトＲＷを、シンボル番号２の既知シンボルと同じ周波数帯域で受信されるデータシンボルに対して設定しても良い。
【００５７】
また、最後のアレイ処理において使用されるシンボル番号１２の既知シンボルが、当該最後のアレイ処理において使用されて更新された受信ウェイトＲＷ、つまり２３回更新された受信ウェイトＲＷを、シンボル番号１２の既知シンボルと同じ周波数帯域で受信されるデータシンボルに対して設定しても良い。
【００５８】
なお、シンボル番号１の既知シンボルと同じ周波数帯域で受信されるデータシンボルに対しては、１回目のアレイ処理においてシンボル番号１の既知シンボルが使用されて更新された受信ウェイトＲＷ、つまり１２回更新された受信ウェイトＲＷを設定しても良いし、１３回更新された受信ウェイトＲＷを設定しても良い。
【００５９】
このように、ある程度更新された受信ウェイトＲＷに対して、ある既知シンボルを使用して１回更新することによって得られる更新後の受信ウェイトＲＷを、当該既知シンボルの周波数帯域で受信されるデータシンボルに設定することによって、当該データシンボルをより適切に受信することができる。よって、無線通信装置１００の受信性能がさらに向上する。
【００６０】
また、受信ウェイトＲＷを図４のように２３回も更新しなくても受信ウェイトＲＷの精度が十分な場合には、受信ウェイトＲＷの精度が十分となるであろう最小の回数だけ受信ウェイトＲＷを更新すれば良い。図６は、受信ウェイトＲＷを１７回更新すると受信ウェイトＲＷの精度が十分となる場合の受信ウェイト更新処理の一例を示す図である。
【００６１】
図６の例では、図４の例と同様に、Ｎ＝２、Ｍ＝１２となっている。図６の例では、１回目のアレイ処理では、受信ウェイトＲＷが、シンボル番号１〜６の６個の既知シンボルがそれぞれ使用されて６回更新される。そして、２回目のアレイ処理では、受信ウェイトＲＷが、シンボル番号２〜１２の１１個の既知シンボルがそれぞれ使用されて１１回更新される。よって、図６の例では、受信ウェイトＲＷは合計１７回更新される。
【００６２】
さらに、図６の例では、２回のアレイ処理においては、１２個の受信既知シンボルのそれぞれが少なくとも１回使用され、かつ１２個の受信既知シンボルのうち、シンボル番号２〜６の６個の既知シンボルが２回使用される。
【００６３】
さらに、図６の例では、２回のアレイ処理においては、連続する前後の受信ウェイトＲＷの更新で使用される既知シンボルは互いに異なっている。
【００６４】
さらに、図６の例では、２回のアレイ処理のそれぞれにおいては、当該アレイ処理で受信ウェイトＲＷの更新に使用される複数の既知シンボルは周波数方向に沿って順番に使用される。具体的には、１回目のアレイ処理において使用されるシンボル番号１〜６の既知シンボルは、周波数帯域が大きいものから順番に使用され、２回目のアレイ処理において使用されるシンボル番号２〜１２の既知シンボルは、周波数帯域が小さいものから順番に使用される。
【００６５】
そして、図６の例では、１回目のアレイ処理において使用されるシンボル番号１〜６の既知シンボルが周波数方向に沿って使用される方向ＤＲ１と、２回目のアレイ処理において使用されるシンボル番号２〜１２の既知シンボルが周波数方向に沿って使用される方向ＤＲ２とは逆方向になっている。
【００６６】
以上のように、図６に示される受信ウェイト更新処理では、受信ウェイトＲＷは１２個の受信既知シンボルを用いて１７回更新される。よって、上述の図５に示されるように、シンボル番号１〜１２の既知シンボルをそれぞれ１回だけ使用して受信ウェイトＲＷを１２回更新する場合よりも、少ない数の既知シンボルを用いて受信ウェイトＲＷの精度を向上することができる。
【００６７】
図６のように受信ウェイトＲＷが更新される場合には、２回のアレイ処理が行われた受信ウェイトＲＷ、つまり、１７回更新された受信ウェイトＲＷを、受信ウェイト更新処理で使用されたシンボル番号１〜１２の１２個の既知シンボルとそれぞれ同じ周波数帯域で受信される１２個のデータシンボルに対して共通に設定する。
【００６８】
なお、図６の例において、受信ウェイトＲＷを６回程度更新することによって、受信ウェイトＲＷの精度がある程度確保される場合には、最後のアレイ処理（２回目のアレイ処理）において使用されるシンボル番号２〜１２の既知シンボルのそれぞれについて、当該既知シンボルが最後のアレイ処理において使用されて更新された受信ウェイトＲＷを、当該既知シンボルと同じ周波数帯域で受信されるデータシンボルに対して設定しても良い。例えば、最後のアレイ処理において使用されるシンボル番号５の既知シンボルが、当該最後のアレイ処理において使用されて更新された受信ウェイトＲＷ、つまり１０回更新された受信ウェイトＲＷを、シンボル番号５の既知シンボルと同じ周波数帯域で受信されるデータシンボルに対して設定しても良い。シンボル番号１の既知シンボルと同じ周波数帯域で受信されるデータシンボルに対しては、６回更新された受信ウェイトＲＷを設定しても良いし、７回更新された受信ウェイトＲＷを設定しても良い。
【００６９】
図６の例では、１回目のアレイ処理において、シンボル番号１〜６の６個の既知シンボルを使用したが、その代わりに、図７に示されるように、例えば、シンボル番号１，３，５，７，９，１１の６個の既知シンボルを使用しても良い。１回目のアレイ処理において、受信ウェイトＲＷを、図６の例のように周波数帯域が連続する複数の既知シンボルを使用して複数回更新する場合には、図７の例のように周波数帯域が連続していない複数の既知シンボルを使用して複数回更新する場合と比較して、受信ウェイトＲＷの精度を高めることが可能となる。受信ウェイトＲＷについては、その精度がある程度高まると、更新回数を増加させたとしてもそれほど精度が高くならないことから、図６の例のように、１回目のアレイ処理において、受信ウェイトＲＷを、周波数帯域が連続する複数の既知シンボルを使用して複数回更新して、その精度を高めることによって、より少ない回数で受信ウェイトＲＷの精度を所望値まで高めることができる。
【００７０】
図４，６，７に示される受信ウェイト更新処理では、１２個の対象サブキャリアでそれぞれ送信される１２個の既知シンボルをすべて使用していたが、当該１２個の既知シンボルをすべてを使用しなくても良い。図８は、当該１２個の既知シンボルのうち、シンボル番号１〜７，９，１１の９個の既知シンボルだけが使用される場合の受信ウェイト更新処理の一例を示す図である。
【００７１】
図８の例では、Ｎ＝２、Ｍ＝９となっており、受信ウェイト更新処理では、周波数方向に並ぶシンボル番号１〜７，９，１１の９個の既知シンボルが使用されて２回のアレイ処理が行われる。
【００７２】
図８の例では、１回目のアレイ処理では、受信ウェイトＲＷが、シンボル番号１〜６の６個の既知シンボルがそれぞれ使用されて６回更新される。そして、２回目のアレイ処理では、受信ウェイトＲＷが、シンボル番号３，５，７，９，１１の５個の既知シンボルがそれぞれ使用されて５回更新される。よって、図８の例では、受信ウェイトＲＷは合計１１回更新される。
【００７３】
さらに、図８の例では、２回のアレイ処理においては、９個の受信既知シンボル（シンボル番号１〜７，９，１１の９個の既知シンボル）のそれぞれが少なくとも１回使用され、かつ９個の受信既知シンボルのうち、シンボル番号３，５の２個の既知シンボルが２回使用される。
【００７４】
さらに、図８の例では、２回のアレイ処理においては、連続する前後の受信ウェイトＲＷの更新で使用される既知シンボルは互いに異なっている。例えば、６回目の受信ウェイトＲＷの更新に使用される既知シンボルはシンボル番号１の既知シンボルであって、７回目の受信ウェイトＲＷの更新に使用される既知シンボルはシンボル番号３の既知シンボルである。また、９回目の受信ウェイトＲＷの更新に使用される既知シンボルはシンボル番号７の既知シンボルであって、１０回目の受信ウェイトＲＷの更新に使用される既知シンボルはシンボル番号９の既知シンボルである。
【００７５】
さらに、図８の例では、２回のアレイ処理のそれぞれにおいては、当該アレイ処理で受信ウェイトの更新で使用される複数の既知シンボルは周波数方向に沿って順番に使用される。具体的には、１回目のアレイ処理において使用されるシンボル番号１〜６の既知シンボルは、周波数帯域が大きいものから順番に使用され、２回目のアレイ処理において使用されるシンボル番号３，５，７，９，１１の既知シンボルは、周波数帯域が小さいものから順番に使用される。
【００７６】
そして、図８の例では、１回目のアレイ処理において使用されるシンボル番号１〜６の既知シンボルが周波数方向に沿って使用される方向ＤＲ１と、２回目のアレイ処理において使用されるシンボル番号３，５，７，９，１１の既知シンボルが周波数方向に沿って使用される方向ＤＲ２とは逆方向になっている。
【００７７】
以上のように、図８に示される受信ウェイト更新処理では、受信ウェイトＲＷは、シンボル番号１〜７，９，１１の９個の既知シンボルを用いて１１回更新される。よって、シンボル番号１〜７，９，１１の９個の既知シンボルをそれぞれ１回だけ使用して受信ウェイトＲＷを９回更新する場合よりも、少ない数の既知シンボルを用いて受信ウェイトＲＷの精度を向上することができる。
【００７８】
図８のように受信ウェイトＲＷが更新される場合には、受信ウェイトＲＷが１１回程度更新すると受信ウェイトＲＷの精度が十分となる場合には、１１回更新された受信ウェイトＲＷを、シンボル番号１〜１２の既知シンボルとそれぞれ同じ周波数帯域で受信される１２個のデータシンボルに対して共通に設定する。
【００７９】
一方で、受信ウェイトＲＷを６回程度更新することによって、受信ウェイトＲＷの精度がある程度確保される場合には、最後のアレイ処理（２回目のアレイ処理）において使用されるシンボル番号３，５，７，９，１１の既知シンボルのそれぞれについて、当該既知シンボルが最後のアレイ処理において使用されて更新された受信ウェイトＲＷを、当該既知シンボルと同じ周波数帯域で受信されるデータシンボルに対して設定しても良い。
【００８０】
例えば、最後のアレイ処理において使用されるシンボル番号３の既知シンボルが、当該最後のアレイ処理において使用されて更新された受信ウェイトＲＷ、つまり７回更新された受信ウェイトＲＷを、シンボル番号３の既知シンボルと同じ周波数帯域で受信されるデータシンボルに対して設定しても良い。
【００８１】
シンボル番号１の既知シンボルと同じ周波数帯域で受信されるデータシンボルに対しては、１回目のアレイ処理においてシンボル番号１の既知シンボルが使用されて更新された受信ウェイトＲＷ、つまり６回更新された受信ウェイトＲＷを設定しても良いし、最後のアレイ処理においてシンボル番号３の既知シンボルが使用された更新された受信ウェイトＲＷ、つまり７回更新された受信ウェイトＲＷを設定しても良い。
【００８２】
シンボル番号２の既知シンボルと同じ周波数帯域で受信されるデータシンボルに対しては、６回更新された受信ウェイトＲＷを設定しても良いし、７回更新された受信ウェイトＲＷを設定しても良い。
【００８３】
シンボル番号Ｌ（Ｌ＝４，６，８，１０）の既知シンボルと同じ周波数帯域で受信されるデータシンボルに対しては、最後のアレイ処理においてシンボル番号（Ｌ−１）を用いて更新された受信ウェイトＲＷを設定しても良いし、最後のアレイ処理においてシンボル番号（Ｌ＋１）を用いて更新された受信ウェイトＲＷを設定しても良い。
【００８４】
そして、シンボル番号１２の既知シンボルと同じ周波数帯域で受信されるデータシンボルに対しては、例えば、１１回更新された受信ウェイトＲＷを設定する。
【００８５】
＜各種変形例＞
＜第１変形例＞
上記の図４，６，７，８に示される受信ウェイト更新処理では、２回のアレイ処理が行われているが、３回以上のアレイ処理を行っても良い。図９は、Ｎ＝３、つまり３回のアレイ処理が行われる受信ウェイト更新処理の一例を示す図である。
【００８６】
図９の例では、Ｎ＝３、Ｍ＝１２となっており、図４に示される例において、３回目のアレイ処理が行われている。図８の例での３回目のアレイ処理では、受信ウェイトＲＷが、シンボル番号１〜１１の１１個の既知シンボルがそれぞれ使用されて１１回更新される。したがって、図９の例では、受信ウェイトＲＷは合計３４回更新される。
【００８７】
図９の例では、３回のアレイ処理においては、１２個の受信既知シンボルのそれぞれが少なくとも１回使用され、シンボル番号２〜１１の既知シンボルが３回使用され、シンボル番号１，１２の既知シンボルが２回使用される。
【００８８】
さらに、図９の例では、３回のアレイ処理においては、連続する前後の受信ウェイトＲＷの更新で使用される既知シンボルは互いに異なっている。例えば、２３回目の受信ウェイトＲＷの更新に使用される既知シンボルはシンボル番号１２の既知シンボルであって、２４回目の受信ウェイトＲＷの更新に使用される既知シンボルはシンボル番号１１の既知シンボルである。
【００８９】
さらに、図９の例では、３回のアレイ処理のそれぞれにおいては、当該アレイ処理で受信ウェイトＲＷの更新で使用される複数の既知シンボルは周波数方向に沿って順番に使用される。具体的には、１回目のアレイ処理において使用されるシンボル番号１〜１２の既知シンボルは、周波数帯域が大きいものから順番に使用され、２回目のアレイ処理において使用されるシンボル番号２〜１２の既知シンボルは、周波数帯域が小さいものから順番に使用され、３回目のアレイ処理において使用されるシンボル番号１〜１１の既知シンボルは、周波数帯域が大きいものから順番に使用される。
【００９０】
そして、図９の例では、３回のアレイ処理において連続する前後のアレイ処理では、受信ウェイトＲＷの更新に使用される複数の既知シンボルが周波数方向に沿って使用される方向が逆方向となっている。つまり、１回目のアレイ処理において使用されるシンボル番号１〜１２の既知シンボルが周波数方向に沿って使用される方向ＤＲ１と、２回目のアレイ処理において使用されるシンボル番号２〜１２の既知シンボルが周波数方向に沿って使用される方向ＤＲ２とは逆方向になっている。そして、２回目のアレイ処理において使用されるシンボル番号２〜１２の既知シンボルが周波数方向に沿って使用される方向ＤＲ２と、３回目のアレイ処理において使用されるシンボル番号１〜１１の既知シンボルが周波数方向に沿って使用される方向ＤＲ３とは逆方向になっている。
【００９１】
以上のように、図９に示される受信ウェイト更新処理では、受信ウェイトＲＷは、シンボル番号１〜１２の１２個の既知シンボルを用いて３４回更新される。よって、上述の図５の例と比較して、少ない数の既知シンボルを用いて受信ウェイトＲＷの精度を向上することができる。
【００９２】
図９のように受信ウェイトＲＷが更新される場合には、受信ウェイトＲＷが３４回程度更新すると受信ウェイトＲＷの精度が十分となる場合には、３４回更新された受信ウェイトＲＷを、シンボル番号１〜１２の既知シンボルとそれぞれ同じ周波数帯域で受信される１２個のデータシンボルに対して共通に設定する。
【００９３】
一方で、受信ウェイトＲＷを２３回程度更新することによって、受信ウェイトＲＷの精度がある程度確保される場合には、最後のアレイ処理（３回目のアレイ処理）において使用されるシンボル番号１〜１１の既知シンボルのそれぞれについて、当該既知シンボルが最後のアレイ処理において使用されて更新された受信ウェイトＲＷを、当該既知シンボルと同じ周波数帯域で受信されるデータシンボルに対して設定しても良い。
【００９４】
例えば、最後のアレイ処理において使用されるシンボル番号８の既知シンボルが、当該最後のアレイ処理において使用されて更新された受信ウェイトＲＷ、つまり２７回更新された受信ウェイトＲＷを、シンボル番号８の既知シンボルと同じ周波数帯域で受信されるデータシンボルに対して設定しても良い。
【００９５】
シンボル番号１２の既知シンボルと同じ周波数帯域で受信されるデータシンボルに対しては２回目のアレイ処理においてシンボル番号１２の既知シンボルが使用されて更新された受信ウェイトＲＷ、つまり２３回更新された受信ウェイトＲＷを設定しても良いし、最後のアレイ処理においてシンボル番号１１の既知シンボルが使用された更新された受信ウェイトＲＷ、つまり２４回更新された受信ウェイトＲＷを設定しても良い。
【００９６】
＜第２変形例＞
上記の例では、受信ウェイトＲＷの更新に、アレイアンテナ１０での受信信号に含まれる、周波数方向に並ぶＭ個の既知シンボルを使用していたが、アレイアンテナ１０での受信信号に含まれる、時間方向に並ぶＭ個の既知シンボルを使用しても良い。図１０は、この場合の受信ウェイト更新処理の一例を示す図である。以下の説明では、今までの説明とは異なり、シンボル番号１〜１２の既知シンボルは時間方向に沿って並んでいるものとする。
【００９７】
図１０の例では、Ｎ＝２となっており、２回のアレイ処理が行われる。そして、図１０の例では、Ｍ＝１２となっており、受信ウェイト更新処理では、アレイアンテナ１０での受信信号に含まれる、時間方向に並ぶシンボル番号１〜１２の１２個の既知シンボルが使用される。シンボル番号１〜１２の既知シンボルは同じ周波数帯域で受信される。
【００９８】
１回目のアレイ処理では、受信ウェイトＲＷが、シンボル番号１〜１２の既知シンボルがそれぞれ使用されて１２回更新される。そして、２回目のアレイ処理では、シンボル番号２〜１２の１１個の既知シンボルがそれぞれ使用されて１１回更新される。よって、図１０の例では、受信ウェイトＲＷは１２個の既知シンボルを用いて合計２３回更新される。
【００９９】
さらに、図１０の例では、２回のアレイ処理においては、１２個の既知シンボルのそれぞれが少なくとも１回使用され、かつ１２個の既知シンボルのうち、シンボル番号２〜１２の既知シンボルが２回使用される。
【０１００】
さらに、図１０の例では、２回のアレイ処理においては、連続する前後の受信ウェイトＲＷの更新で使用される既知シンボルは互いに異なっている。
【０１０１】
さらに、図１０の例では、２回のアレイ処理のそれぞれにおいては、当該アレイ処理で受信ウェイトＲＷの更新に使用される複数の既知シンボルは時間方向に沿って順番に使用される。具体的には、１回目のアレイ処理において使用されるシンボル番号１〜１２の既知シンボルは、送信時間帯（受信時間帯）が先のものから順番に使用され、２回目のアレイ処理において使用されるシンボル番号２〜１２の既知シンボルは、送信時間帯（受信時間帯）が後のものから順番に使用される。
【０１０２】
そして、図１０の例では、１回目のアレイ処理において使用されるシンボル番号１〜１２の既知シンボルが時間方向に沿って使用される方向ＤＲ１１と、２回目のアレイ処理において使用されるシンボル番号２〜１２の既知シンボルが時間方向に沿って使用される方向ＤＲ１２とは逆方向になっている。
【０１０３】
以上のように、図１０に示される受信ウェイト更新処理では、受信ウェイトＲＷは１２個の既知シンボルを用いて２３回更新される。よって、図１１に示されるように、時間方向に並ぶシンボル番号１〜１２の既知シンボルをそれぞれ１回だけ使用して受信ウェイトＲＷを１２回更新する場合よりも、少ない数の既知シンボルを用いて受信ウェイトＲＷの精度を向上することができる。
【０１０４】
図１０のように受信ウェイトＲＷが更新される場合には、受信ウェイトＲＷが２３回程度更新すると受信ウェイトＲＷの精度が十分となる場合には、２３回更新された受信ウェイトＲＷを、シンボル番号１〜１２の既知シンボルとそれぞれ同じ時間帯で受信される１２個のデータシンボルに対して共通に設定する。
【０１０５】
一方で、受信ウェイトＲＷを１２回程度更新することによって、受信ウェイトＲＷの精度がある程度確保される場合には、最後のアレイ処理（２回目のアレイ処理）において使用されるシンボル番号２〜１２の既知シンボルのそれぞれについて、当該既知シンボルが最後のアレイ処理において使用されて更新された受信ウェイトＲＷを、当該既知シンボルと同じ時間帯で受信されるデータシンボルに対して設定しても良い。
【０１０６】
例えば、最後のアレイ処理において使用されるシンボル番号４の既知シンボルが、当該最後のアレイ処理において使用されて更新された受信ウェイトＲＷ、つまり１５回更新された受信ウェイトＲＷを、シンボル番号４の既知シンボルと同じ時間帯で受信されるデータシンボルに対して設定しても良い。シンボル番号１の既知シンボルと同じ時間帯で受信されるデータシンボルに対しては１回目のアレイ処理においてシンボル番号１の既知シンボルが使用されて更新された受信ウェイトＲＷ、つまり１２回更新された受信ウェイトＲＷを設定しても良いし、最後のアレイ処理においてシンボル番号２の既知シンボルが使用された更新された受信ウェイトＲＷ、つまり１３回更新された受信ウェイトＲＷを設定しても良い。
【０１０７】
なお、受信ウェイトＲＷの更新に、時間方向に並ぶＭ個の既知シンボルを使用する場合であっても、図６，７のように、１回目のアレイ処理においてシンボル番号１〜１２の既知シンボルのすべてを使用しなくても良い。また図８のように、複数のアレイ処理全体においてシンボル番号１〜１２の既知シンボルのすべてを使用しなくても良い。また、図９のように、アレイ処理を３回以上行っても良い。
【符号の説明】
【０１０８】
１０ａ  アンテナ
５１  受信ウェイト処理部
１００  無線通信装置
ＲＷ  受信ウェイト
【図１】
0005667013.tif 000002
【図２】
0005667013.tif 000003
【図３】
0005667013.tif 000004
【図４】
0005667013.tif 000005
【図５】
0005667013.tif 000006
【図６】
0005667013.tif 000007
【図７】
0005667013.tif 000008
【図８】
0005667013.tif 000009
【図９】
0005667013.tif 000010
【図１０】
0005667013.tif 000011
【図１１】
0005667013.tif 000012